(57)【要約】【課題】靭性の高い球戻り防止部材を使用しても容易に取り外し作業がなし得る新規構造を提供することにある。【解決手段】内側レール３の上端部６と分岐部８との間に嵌合保持部１２を備え、該嵌合保持部は、球戻り防止部材突出部１３と、該突出部と連通して前面方向に開口した球戻り防止部材嵌入部１４とで構成されており、球戻り防止部材１８は、前記嵌合保持部１２の球戻り防止部材突出部１３から突出する球戻り防止片部１９と、該防止片部１９の下端側に延設された弾性嵌合片部２０とで構成され、該弾性嵌合片部２０は、前記嵌合保持部１２の球戻り防止部材嵌入部１４に、その弾性に抗して嵌入される断面視略Ｕ字形状に形成されており、前記嵌合保持部１２の球戻り防止部材嵌入部１４の近傍には、該嵌入部１４と連通状に取り外し部材挿入作用部１５が並設されている。【選択図】    図５
2005318946.tif 000002
【特許請求の範囲】
【請求項１】
遊技領域を区画すると共に、発射装置から打ち出される遊技球を、外側ガイドレールとの間に形成された通路を介して前記遊技領域へと導く内側ガイドレールと、
該内側ガイドレールの上端位置に着脱可能に保持された球戻り防止部材とを有する弾球遊技機であって、
前記内側レールは、レール上端部に分岐部を設けて二股状に形成すると共に、該上端部と分岐部との間に球戻り防止部材を嵌合保持する嵌合保持部を備え、
該嵌合保持部は、レール上端部と分岐部上端部との間に開口した球戻り防止部材突出部と、該突出部と連通して前面方向に開口した球戻り防止部材嵌入部とで構成されており、
前記球戻り防止部材は、前記嵌合保持部の球戻り防止部材突出部から突出する球戻り防止片部と、該防止片部の下端側に延設された弾性嵌合片部とで構成され、
該弾性嵌合片部は、前記嵌合保持部の球戻り防止部材嵌入部に、その弾性に抗して嵌入される断面視略Ｕ字形状に形成されており、
前記嵌合保持部の球戻り防止部材嵌入部の近傍には、該嵌入部と連通状に取り外し部材挿入作用部が並設されていることを特徴とする弾球遊技機。
【請求項２】
取り外し部材挿入作用部は、断面視略半球状の溝形状に形成されていることを特徴とする請求項１に記載の弾球遊技機。
【請求項３】
嵌合保持部を構成する分岐部は、所定の長さとし、嵌合保持部の内側に沿って球戻り防止部材を配設することを特徴とする請求項１又は２のいずれかに記載の弾球遊技機。
【請求項４】
分岐部の裏側には、上端部の裏側との間にわたる嵌合保持部拡開規制部を設けたことを特徴とする請求項１乃至３のいずれかに記載の弾球遊技機。
【請求項５】
球戻り防止部材嵌入部の嵌入口縁に、該嵌入部に嵌入された球戻り防止部材の抜け落ちを抑制する抜け落ち抑制部を突設したことを特徴とする請求項１乃至４のいずれかに記載の弾球遊技機。
【発明の詳細な説明】
【技術分野】
【０００１】
本発明は、弾球遊技機、詳しくは、内側ガイドレールの上端に球戻り防止部材を備えた弾球遊技機に関する。
【背景技術】
【０００２】
弾球遊技機（いわゆるパチンコ機）は、遊技領域を区画すると共に、遊技領域に発射装置から打ち出される遊技球を導く外側ガイドレールと内側ガイドレールを備えており、該両ガイドレール間を通して遊技球を遊技盤の遊技領域に打ち出すことにより、該遊技領域に備えた多数の遊技釘や遊技球誘導部材（例えばステージや天通路等）などにより遊技球が転動しつつ流下し、所定の入賞口に遊技球が入賞することで所定の演出がなされ、かつ賞球を得ることにより遊技を楽しむものである。
弾球遊技機の場合、遊技中において、前記遊技領域に打ち出された遊技球が、遊技釘などに当たって跳ね返され、外側ガイドレールと内側ガイドレールとの間へと戻る場合がある。
そこでこのような球戻りを防止するため、前記内側ガイドレールの上端には、球戻り防止部材を備えていた。この種の球戻り防止部材は、遊技球が当たるときの衝撃などにより破損等する虞があるため、交換可能な構造とするのが一般的である。
【０００３】
従来、球戻り防止部材を交換可能に備えた弾球遊技機として、例えば特許文献１に開示の技術が知られている。
特許文献１に開示の技術は、内側ガイドレールの上端部と、該上端部から枝分かれして延びた分岐部との間に凹部を設け、前記凹部内に球戻り防止部材を嵌合したものである。
すなわち、前記分岐部は、その基端側を薄肉に形成して弾性を持たせた拡開Ｕ字形状に形成すると共に、該弾性に抗して先端側を前記上端部方向へと近接させ、そしてそのように近接させた状態で先端側を遊技盤のベース板にビス止め固定することにより、上端部と分岐部との間に幅狭状に凹部を形成していた。
一方、球戻り防止部材は、凹部に装着した際に、該凹部の先端から突出し、外側レールの先端と内側レールの先端との間の前方に位置する球戻り防止片と、該球戻り防止片の下端に延設される弾性嵌合部とで形成されている。
そして、前記分岐部をビス止め固定する以前の状態で拡開している前記凹部に、前記球戻り防止部材を挿入し、次に、分岐部をその弾性に抗して上端部方向に近接されると共に、ビス止め固定する。このように分岐部を上端部方向に近接させることで、凹部内空間は狭められるため、前記凹部内に挿入されている球戻り防止部材の弾性嵌合部は、前記凹部内壁によって押圧され、その弾性嵌合部の弾性力によって凹部内に嵌合される。
【０００４】
このように構成したのは、球戻り防止部材を嵌合させると共に、交換時における球戻り防止部材の取り外しを容易にするためであり、分岐部先端をベース板に固定しているビスを取り外すと、基端側の弾性により、分岐部は内側ガイドレール上端部から離れる方向に拡開され、これにより凹部が広がるため、球戻り防止部材を上方に引き抜き易くしていたものである。
また、このように分岐部先端を内側ガイドレール上端部近傍にビス止めしているのは、靭性の低い材料からなる球戻り防止部材の靭性を高めるためでもある。
【特許文献１】特開２００３−１５９３８９号公報
【発明の開示】
【発明が解決しようとする課題】
【０００５】
しかし、特許文献１に開示の先行技術では、次のような課題があった。
ビス止めのためのビス孔をベース板の所定位置に穿設しなければならず、また分岐部先端のビス止め孔との位置決め精度も求められていたため、製作コストも高く、かつ作業時に常にビス止め又はビス外し作業が必要で作業が面倒であった。またビス止め用のビスを用意しなければならず部品点数の増加によりその作業手間と共に、部品管理などの必要もあった。
【０００６】
また、このような問題は、靭性の高い球戻り防止部材を使用すれば、分岐部のビス止め構造を採用する必要がなくなるため前記課題は解決されると考えられる。
しかし、靭性の高い球戻り防止部材を使用すると、球戻り防止部材の取り外しが容易ではなくなるというさらなる課題があった。
【０００７】
本発明は、このような問題を解決するためになされており、その目的とするところは、靭性の高い球戻り防止部材を使用しても容易に取り外し作業がなし得る新規構造を提供することにある。
【課題を解決するための手段】
【０００８】
このような目的を達成するために、第１の発明は、遊技領域Ａを区画すると共に、発射装置から打ち出される遊技球を、外側ガイドレール４との間に形成された通路５を介して前記遊技領域Ａへと導く内側ガイドレール３と、該内側ガイドレール３の上端位置に着脱可能に保持された球戻り防止部材１８とを有する弾球遊技機であって、前記内側レール３は、レール上端部６に分岐部８を設けて二股状に形成すると共に、該上端部６と分岐部８との間に球戻り防止部材１８を嵌合保持する嵌合保持部１２を備え、該嵌合保持部１２は、レール上端部６と分岐部上端部８ａとの間に開口した球戻り防止部材突出部１３と、該突出部１３と連通して前面方向に開口した球戻り防止部材嵌入部１４とで構成されており、前記球戻り防止部材１８は、前記嵌合保持部１２の球戻り防止部材突出部１３から突出する球戻り防止片部１９と、該防止片部１９の下端側に延設された弾性嵌合片部２０とで構成され、該弾性嵌合片部２０は、前記嵌合保持部１２の球戻り防止部材嵌入部１３に、その弾性に抗して嵌入される断面視略Ｕ字形状に形成されており、前記嵌合保持部１２の球戻り防止部材嵌入部１３の近傍には、該嵌入部１３と連通状に取り外し部材挿入作用部１５が並設されていることを特徴とする弾球遊技機としたことである。
本発明によれば、球戻り防止部材１８を取り外すための取り外し部材Ｐを挿入する取り外し部材挿入作用部１５が、球戻り防止部材１８の弾性嵌合片部２０を嵌入する球戻り防止部材嵌入部１４と連通して並設されているので、前記取り外し部材挿入作用部１５に所定の取り外し部材Ｐを挿入すると、該取り外し部材Ｐは、弾性嵌合片部２０と隣接する。
そして、取り外し部材Ｐにより、弾性嵌合片部２０がその弾性に抗して押圧され、前記球戻り防止部材嵌入部１４に対する嵌合が外れるため、その状態から球戻り防止部材１８を前方へと容易に引き抜き取り外すことができる。従って、靭性の高い材質からなる球戻り防止部材１８であっても取り外し作業が容易に行える。
【０００９】
第２の発明は、第１の発明において、取り外し部材挿入作用部１５は、断面視略半球状の溝形状に形成されていることを特徴とする弾球遊技機としたことである。
本発明によれば、断面視半球状の溝形状としたので、取り外し部材Ｐとして丸棒状の取り外しピンを使用した場合、その取り外しピンＰが差し込み易く、球戻り防止部材１８が容易に取り外しできる。
【００１０】
第３の発明は、第１又は第２のいずれかの発明において、嵌合保持部１２を構成する分岐部８は、所定の長さとし、嵌合保持部１２の内側に沿って球戻り防止部材１８を配設することを特徴とする弾球遊技機としたことである。
本発明によれば、分岐部８を所定の長さとしたので、球戻り防止部材１８の変形が容易となり、球戻り防止部材１８が容易に取り外しできる。
【００１１】
第４の発明は、第１乃至第３のいずれかの発明において、分岐部８の裏側には、上端部６の裏側との間にわたる嵌合保持部拡開規制部１６を設けたことを特徴とする弾球遊技機としたことである。
本発明によれば、分岐部８は嵌合保持部拡開規制部１６によって上端部６と連結されているため、ビス止めなどを要さずとも定位置を維持できる。従って、嵌合保持部１２が拡開することがないため球戻り防止部材１８の弾性嵌合力が弱まることもない。
【００１２】
第５の発明は、第１乃至第４のいずれかの発明において、球戻り防止部材嵌入部１４の嵌入口縁１４ａに、該嵌入部１４に嵌入された球戻り防止部材１８の抜け落ちを抑制する抜け落ち抑制部１７を突設したことを特徴とする弾球遊技機としたことである。
本発明によれば、抜け落ち抑制部１７が球戻り防止部材嵌入部１４に嵌入されている球戻り防止部材１８の前方にて突設されるため、遊技中などにおける球戻り防止部材１８の不意の抜け落ちが防げる。
【発明の効果】
【００１３】
本発明によれば、靭性の高い球戻り防止部材を使用しても容易に取り外すことのできる弾球遊技機を提供できる。
【発明を実施するための最良の形態】
【００１４】
以下、本発明の一実施形態について説明する。なお、本実施形態は本発明の一例にすぎずなんらこれに限定解釈されるものではなく、本発明の範囲内で設計変更可能である。なお、本発明は、球封入式の弾球遊技機をも対象とする。
【００１５】
図１は、本発明を適用した弾球遊技機（パチンコ機ともいう）を構成する遊技盤１の一例を示す概略図で、内側ガイドレール３その他の図示しない種々の遊技部材をベース板２に備えて遊技盤１が構成されており、例えば図示しない発射装置のハンドルのレバーを時計方向に回転させることにより、例えば内蔵する発射ソレノイドを作動させて、前記内側ガイドレール３と外側ガイドレール４との間の通路５を介して遊技球を遊技領域Ａに打ち出す。
また、本実施例では特に限定されないが、液晶表示装置（ＬＣＤ：Liquid Crystal Display）や、投影機からの動画又は静止画を、反射板で屈折して表示させる投影型画像表示装置を配設することも可能である。その他の遊技部材としては、例えば前記表示装置の変動表示を起動すると共に、大当たりとするか否かの抽選処理を起動するチューリップ式の普通電動役物からなる始動口、大当たり時に開放するアタッカと称する第一種特別電動役物の大入賞口、一般入賞口となる左右の入賞口、遊技球誘導部材としてのステージや天通路等、遊技領域での入賞を逃したアウト球を排出するアウト口、ベース板１９に打たれている多数の遊技釘などが一例として挙げられる。なお、ベース板２、若しくは内側ガイドレール３などの遊技部材等は透明部材若しくは非透明部材で構成されている。
本発明は、球戻り防止部材１８を備える内側ガイドレール３上端の嵌合保持部１２構造に新規有用な構造を有するものであるため、以下、内側ガイドレール３上端の嵌合保持部１２構造と球戻り防止部材１８についての説明に留め、その他の構成については特に限定解釈されないため詳細な説明は省略する。
【００１６】
内側ガイドレール３は、例えば合成樹脂などの弾性を有する材料にて円弧状に形成され、そのレール上端部６に分岐部８を設けて二股状に形成され、上端部６は、レール厚みよりも大径円筒状の第１接触部７を先端位置に備え、一方分岐部８は、前記第１接触部７から所定範囲下がったガイドレール３の上端部内面６ａから図面上右方向に正面視略Ｓ字状に突設されており、該分岐部８は、ガイドレール３の上端部内面６ａから図面上右方向に所定の円弧をもって延設された第１延設部９と、該第１延設部９から僅かに前記上端部６方向に向けた傾斜状に延設され、該上端部内面６ａとの間に所定の空間を確保してなる第２延設部１０と、該第２延設部１０から緩やかなカーブをもって図面上右方向に延設され、前記第１接触部７との間に所定の空間を確保してなる第３延設部１１とで構成されている。
また、上端部６の先端位置と比して分岐部８の先端は、下方に位置すると共に、図面上で右方向にずれて配設されている。
従って、上述のように上端部６と分岐部８との間に形成されている空間により、球戻り防止部材１８を嵌合保持する嵌合保持部１２が形成されている。
また、内側ガイドレール３の上端部６（第１接触部７）の裏側は、ベース板２の裏側から図示しない固着ピンなどを介して所定位置に固定されている。
なお、本実施例では、後述する球戻り防止部材１８の弾性嵌合片部の円弧形状が嵌り合うように、分岐部８の第１延設部９を円弧状とするのが好ましいが、該第１延設部９の形状は限定されず、正面視矩形状などであってもよい。また、第２延設部１０は、第１延設部９から僅かに上端部６方向に向けた傾斜状に延設されるものとしているが、上端部内面６ａと平行状に延設されるものであってもよく、球戻り防止部材１８を内面に沿って配設し得るものであればよい。さらに、第３延設部１１は、第２延設部１０から緩やかなカーブをもって延設しているが、このカーブも図示例に限定されない。
【００１７】
嵌合保持部１２は、レール上端部６先端の第１接触部７と分岐部８上端の第３延設部１１との間の開口部分を球戻り防止部材突出部１３とすると共に、前記上端部６の第１接触部７と、該第１接触部７から連続する上端部内面６ａと、該内面６ａから延設される分岐部８の第１延設部内面９ａと、第２延設部内面１０ａと、第３延設部内面１１ａとで形成された略Ｕ字形状の空間を、前記球戻り防止部材突出部１３と連通して前面方向に開口した球戻り防止部材嵌入部１４とする。
前記球戻り防止部材嵌入部１４のＵ字形状は、上端部内面６ａと分岐部８の第２延設部内面１０ａとの間の間隔が、後述する球戻り防止部材１８の取り付け前（図６に示す自然状態）の弾性嵌合片部２０の押圧作用部２１の弾性片部２２と第１添接部２３との間の間隔と比して狭く形成されているものとする。
【００１８】
前記嵌合保持部１２の球戻り防止部材嵌入部１４の近傍には、該嵌入部１４と連通状に取り外し部材挿入作用部１５が並設されている。
【００１９】
取り外し部材挿入作用部１５は、前記球戻り防止部材嵌入部１４と連通状に、前記分岐部８の第１延設部９近くの上端部内面６ａを略半球の溝形状に凹設してなるもので、所定の取り外し部材、例えば図４，５に示すような丸棒状の取り外しピンＰが挿入可能な溝径で、かつこの取り外し部材挿入作用部１５から球戻り防止部材嵌入部１４内へと移動可能に連通している。
【００２０】
前記取り外し部材挿入作用部１５の形状は特に限定されず、所定の取り外し部材Ｐが挿入でき、かつその取り外し部材Ｐが隣の球戻り防止部材嵌入部１４に移動可能に連通している溝形状であればよい。
また取り外し部材挿入作用部１５の配設位置も限定されず、球戻り防止部材１８の弾性嵌合片部２０と相対向する上端部内面６ａの所定位置に凹設されていればよく、また本実施例では、所定径の取り外しピンＰで弾性嵌合片部２０を構成している押圧作用部２１の弾性片部２２の一部に押圧作用を与えるが、例えば取り外し部材挿入作用部１５を弾性嵌合片部２０と略同一長さ（僅かに短尺）の長尺溝形状とし、取り外し部材Ｐもその長尺溝形状に合った長尺状に形成して、弾性嵌合片部２０の略全体にわたって押圧作用を与える構造であってもよい。この時、少なくとも弾性片部２０の先端は上端部内面６ａに押圧接触するものとする。
さらに、本実施例では、溝径より僅かに小径の取り外しピンＰを取り外し部材として用いているため、取り外し部材挿入作用部１５に挿入することで溝から突出するピン外周部分が弾性片部２２を自然に押圧することができるが、溝内に収まる程度の外径とした取り外しピンを用いて、該取り外しピンを弾性片部２２方向に移動して該ピンで弾性片部２２を押圧するものであってもよく、本実施例に限定されず、他の構造が本発明の範囲内で設計変更可能である。
【００２１】
本実施例では、分岐部８の裏側に、上端部６の裏側との間にわたる嵌合保持部拡開規制部１６を設けている。
本実施例では、前記規制部１６は、分岐部８の先端裏側と上端部６の先端裏側にわたって平板状に備えた。
分岐部８は嵌合保持部拡開規制部１６によって上端部６と連結されているため、ビス止めなどを要さずとも定位置を維持できる。従って、嵌合保持部１２が拡開することがないため球戻り防止部材１８の弾性嵌合力が弱まることもない。
また、嵌合保持部拡開規制部１６は、細板状や細棒状に形成し、複数個部分的に、分岐部８の裏側と上端部６の裏側との間に掛け渡す構造、若しくは分岐部８の裏側と上端部６の裏側との間の全域にわたる平板状に掛け渡す構造などであってもよい。
【００２２】
球戻り防止部材１８は、例えば薄肉平板状で任意幅のステンレス板（具体的には例えば、ＳＵＳ３０１−ＣＳＰ等）などで形成され、前記嵌合保持部１２の球戻り防止部材突出部１３から突出する球戻り防止片部１９と、該防止片部１９の下端側に延設され、球戻り防止部材嵌入部１４に嵌合される弾性嵌合片部２０とで構成されている。
【００２３】
弾性嵌合片部２０は、前記略Ｕ字形状に形成された嵌合保持部１２の球戻り防止部材嵌入部１４に、その弾性に抗して嵌入される断面視略Ｕ字形状に形成されている押圧作用部２１と、該押圧作用部２１から緩やかな円弧を介して図面上左方向に延設され、分岐部８の第２延設部内面１０ａと第３延設部内面１１ａに添って配設される第１添接部２３とで構成されている。
一方球戻り防止片部１９は、前記第１添接部２３から緩やかな円弧を介して所定の長さの長尺状に延設されている。
また、前記弾性嵌合片部２０は、取り付け前の状態（図６に示す自然状態）で押圧作用部２１の弾性片部２２先端が外方に拡開しているＵ字形状を奏しているものとし、嵌合保持部１２の球戻り防止部材嵌入部１４内に取り付けたときに、その押圧作用部２１の弾性片部２２がレール上端部内面６ａを、弾性により押圧して嵌合されるように構成されている。
【００２４】
本実施例では、図面で向かって左側に、断面視略Ｕ字形状の弾性嵌合片部２０を構成している押圧作用部２１の弾性片部２２が位置するように構成されているが、本実施例とは逆に、前記押圧作用部２１の弾性片部２２が向かって右側に位置するように構成してもよい。
【００２５】
ここで、球戻り防止部材１８を嵌合保持部１２に嵌め合わせて保持させる場合、まず、弾性嵌合片部２０の押圧作用部２１の弾性片部２２を、その弾性に抗して第１添接部２３方向に近接させた状態で玉戻り防止部材嵌入部１４に嵌入させると共に、第１添接部２３をレール上端部６の第１接触部７と分岐部８先端の第３延設部１１との間に形成されている球戻り防止部材突出部１３に挿入して球戻り防止片部１９を外方に突出させる。これにより、図２及び図３に示すように、弾性嵌合片部２０の弾性片部２２が、嵌合保持部１２を構成している上端部内面６ａをその弾性により押圧して嵌合され、かつ球戻り防止片部１９の先端部分が外側ガイドレール４方向に向けて位置する。
【００２６】
一方、球戻り防止部材１８の取り外し状態を図４及び図５に示す。
まず、取り外し部材Ｐである取り外しピンを、取り外し部材挿入作用部１５の溝内に挿入し、そして、該取り外しピンＰを弾性嵌合片部２０の弾性片部２２に押し付けて押圧すれば、該弾性片部２２が、その弾性に抗して上端部内面６ａから離されると共に第１添接部２３方向へと近接するように押圧される。従って、前記取り外しピンＰによる押圧作用を与えた状態で球戻り防止部材１８は前方（図５で矢印で示す方向）に容易に引き抜くことができる。
【００２７】
また特に本発明において限定解釈されるものではないが、本実施例では、図２乃至図５に示すように、球戻り防止部材嵌入部１４の嵌入口縁１４ａに、該嵌入部１４に嵌入された球戻り防止部材１８の抜け落ちを抑制する抜け落ち抑制部１７を突設している。
抜け落ち抑制部１７は、嵌合保持部１２に嵌合されている状態の球戻り防止部材１８が不意に抜け落ちないようにするもので、例えば球戻り防止部材嵌入部１４の嵌入口縁１４ａから水平方向に僅かに延設した突条とする。
なお、抜け落ち抑制部１７の突設程度は任意であるが、球戻り防止部材１８の引き抜き作業時に障害とならない程度とするのが好ましい。また、本実施例では嵌入口縁１４ａにわたって連続して設けているが、１個又は複数個を断続的に設けるものであっても良い。
また、球戻り防止部材１８の抜け落ちが防止でき、かつ引き抜き作業を容易にすることを考慮して、抜け落ち抑制部１７は、弾性片部２２が押圧して接している上端部内面６ａ位置の嵌入口縁１４ａのみに突設し、その他の嵌入口縁１４ａには設けないものとすることも可能である。
【図面の簡単な説明】
【００２８】
【図１】本発明弾球遊技機における遊技盤の一実施形態を示す概略図。
【図２】内側ガイドレール上端の嵌合保持部に球戻り防止部材を嵌合している状態を示す部分拡大斜視図。
【図３】内側ガイドレール上端の嵌合保持部に球戻り防止部材を嵌合している状態を部分的に示す正面図。
【図４】取り外し部材挿入作用部に所定の取り外し部材を挿入して、内側ガイドレール上端の嵌合保持部に嵌入されている弾性嵌合片を押圧し、弾性嵌合片がその弾性に抗して分岐部方向に押圧されている状態を部分的に示す正面図。
【図５】取り外し部材挿入作用部に所定の取り外し部材を挿入して、内側ガイドレール上端の嵌合保持部に嵌入されている弾性嵌合片を押圧し、弾性嵌合片がその弾性に抗して分岐部方向に押圧された状態で前方に引き抜かれている状態の概略を示す部分拡大斜視図。
【図６】球戻り防止部材の一実施例を示す斜視図。
【符号の説明】
【００２９】
３：内側レール
６：上端部
８：分岐部
１２：嵌合保持部
１３：球戻り防止部材突出部
１４：球戻り防止部材嵌入部
１５：取り外し部材挿入作用部
１６：嵌合保持部拡開規制部
１７： 抜け落ち抑制部
１８：球戻り防止部材
１９：球戻り防止片部
２０：弾性嵌合片部
Ｐ：取り外し部材（取り外しピン）
【図１】
2005318946.tif 000003
【図２】
2005318946.tif 000004
【図３】
2005318946.tif 000005
【図４】
2005318946.tif 000006
【図５】
2005318946.tif 000007
【図６】
2005318946.tif 000008